(57)【要約】【課題】複数種類の異なる回路を一括的に接続することで相手側コネクタの数を減少させることができるとともに作業性を良好にすることができるオンボードコネクタを提供すること。【解決手段】オンボードコネクタ１０は、回路基板３０に電気的に接続される端子と、端子を収納し回路基板３０上に組み付けられるコネクタハウジング１１と、を備える。それら端子は、小電流用の第１端子１２と、中電流用または大電流用の第２端子１３と、を含む。オンボードコネクタ１０では、コネクタハウジング１１に設けられた相手側コネクタ挿入用の単一のコネクタ挿着部１４に第１端子１２と第２端子１３とを配置した。【選択図】図１
2006313690.tif 000002
【特許請求の範囲】
【請求項１】
回路基板に電気的に接続される端子と、
前記端子を収納し、前記回路基板上に組み付けられるコネクタハウジングと、
を備えたオンボードコネクタであって、
前記端子が、少なくとも、小電流用の第１端子と、中電流用または大電流用の第２端子と、を含み、
前記コネクタハウジングに形成された相手側コネクタ挿入用の単一のコネクタ挿着部に前記第１端子と前記第２端子とを配置したことを特徴とするオンボードコネクタ。
【請求項２】
前記第１端子および前記第２端子の少なくとも一方が、前記コネクタ挿着部において千鳥状に配列され、前記回路基板上で一列に配列されていることを特徴とする請求項１に記載したオンボードコネクタ。
【請求項３】
前記コネクタハウジングが、前記第１端子または前記第２端子を圧入により組付けるための端子挿入窓を有することを特徴とする請求項１または請求項２に記載したオンボードコネクタ。
【発明の詳細な説明】
【技術分野】
【０００１】
本発明は、電気回路基板（以下、単に『回路基板』と記述する。）に組付けられる金属端子（以下、単に『端子』と記述する。）をコネクタハウジングに収納したオンボードコネクタ（即ち、回路基板直付コネクタ）に関する。
【背景技術】
【０００２】
従来のオンボードコネクタの一例として、コネクタハウジングに複数のＬ字形の端子を装備しており、端子の脚部をプリント基板の接続孔へ挿入接続し、端子を適正位置に整列させる整列板を有するものが知られている（例えば、特許文献１参照）。
【０００３】
また、従来のオンボードコネクタの他の一例として、コネクタハウジングの壁部に固定した端子の折曲部の方向を互いに逆方向になるように配置して横間隔を設定し、プリント配線基板上の回路パターンへの折り曲げ位置に縦間隔を設定したものが知られている（例えば、特許文献２参照）。
【０００４】
ところで、上記特許文献１および上記特許文献２に開示された従来のオンボードコネクタでは、５Ａ〜２０Ａの中電流回路用としてディスクリート型コネクタが用いられ、３Ａ以下の小電流回路用として表面実装型コネクタ（ＳＭＤ）が用いられている。
【０００５】
図６，図７に示されるように、ディスクリート型コネクタ５０は、コネクタハウジング５１内にＬ字形状の複数の中電流用端子５２を収納しており、回路基板５３の端縁の外側に組み付けられる。中電流用端子５２は、一端側の外部接続部５４がコネクタハウジング５１に形成された相手側コネクタ挿着部５５内に配置され、他端側の基板接続部５６が回路基板５３に対して直交して挿通されたうえで、回路基板５３上の不図示のプリント配線に電気的に接続される。
【０００６】
図８，図９に示されるように、表面実装型コネクタ６０は、コネクタハウジング６１内にＬ字形状の複数の小電流用端子６２を収納しており、回路基板６３上に組み付けられる。小電流用端子６２は、一端側の外部接続部６４がコネクタハウジング６１に形成された相手側コネクタ挿着部６５内に配置され、他端側の基板接続部６６が回路基板６３上の不図示のプリント配線に電気的に接続される。
【０００７】
このように、従来のオンボードコネクタにおいて、ディスクリートタイプ型コネクタ５０と、表面実装型コネクタ６０とは、それぞれが別所に配置され、それぞれに異なる相手側コネクタが挿着されていたために、回路全体として相手側コネクタの数が多くなるとともに、複数の相手側コネクタの挿着が煩雑であって作業性が良好ではなかった。
【０００８】
【特許文献１】特開平０６−０４５０３７号公報
【特許文献２】特開２０００−０７７１２０号公報
【発明の開示】
【発明が解決しようとする課題】
【０００９】
本発明は、上述した事情に鑑みてなされたものであり、その目的は、複数種類の異なる回路を一括的に接続することで相手側コネクタの数を減少させることができるとともに作業性を良好にすることができるオンボードコネクタを提供することにある。
【課題を解決するための手段】
【００１０】
前述した目的を達成するため、本発明に係るオンボードコネクタは、下記（１）、（２）、および（３）を特徴としている。
（１）  回路基板に電気的に接続される端子と、
前記端子を収納し、前記回路基板上に組み付けられるコネクタハウジングと、
を備えたオンボードコネクタであって、
前記端子が、少なくとも、小電流用の第１端子と、中電流用または大電流用の第２端子と、を含み、
前記コネクタハウジングに形成された相手側コネクタ挿入用の単一のコネクタ挿着部に前記第１端子と前記第２端子とを配置したこと。
（２）  上記（１）の構成のオンボードコネクタの前記第１端子および前記第２端子の少なくとも一方が、前記コネクタ挿着部において千鳥状に配列され、前記回路基板上で一列に配列されていること。
（３）  上記（１）または上記（２）の構成のオンボードコネクタの前記コネクタハウジングが、前記第１端子または前記第２端子を圧入により組付けるための端子挿入窓を有すること。
【００１１】
上記（１）の構成のオンボードコネクタによれば、少なくとも、小電流用の第１端子と、中電流用または大電流用の第２端子と、がコネクタハウジングの相手側コネクタ挿入用の単一のコネクタ挿着部に配置される。従って、コネクタ挿着部に相手側コネクタを挿着するだけで、小電流回路と中電流または大電流回路とを単一のオンボードコネクタによって接続することができるので、複数種類の異なる回路を一括的に接続することでオンボードコネクタおよび相手側コネクタの数を減少させることができるとともに作業性を良好にすることができる。更に、従来の中電流用の端子において端子間ピッチが例えば１．５ｍｍ以下のファインピッチ化を図ろうとした場合に、回路基板上のランド間の隙間を例えば０．５ｍｍ以上に設定できなくなるようなことがなくなり、ハンダ付け等の接合作業における支障を解消することができる。
上記（２）の構成のオンボードコネクタによれば、小電流用の第１端子および中電流用または大電流用の第２端子の少なくとも一方がコネクタ挿着部において千鳥状に配列されることで、それら端子間の距離を小さくしてオンボードコネクタにおける限られたスペースを有効的に利用することができるとともに、回路基板上で一列に配列されることで交互に重なって配置されることがないためにハンダ付け等の接合作業を簡略化して生産性を向上させることができる。
上記（３）の構成のオンボードコネクタによれば、端子挿入窓を介して小電流用の第１端子および中電流用または大電流用の第２端子を圧入によって組付けることができるので、複雑な成形工程を用いることなく、製造工程を簡素化して多くの設備投資を不要として生産性の向上を図ることができる。
【発明の効果】
【００１２】
本発明のオンボードコネクタによれば、相手側コネクタの数が多くなる、複数の相手側コネクタの挿着が煩雑であって作業性が良好ではない、という問題を解決でき、これにより、複数種類の異なる回路を一括的に接続することで相手側コネクタの数を減少させることができるとともに作業性を良好にすることができるという効果が得られる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施の形態例を図面に基づいて詳細に説明する。
【００１５】
図１は本発明のオンボードコネクタの一実施形態を示す一部破断正面図、図２は図１に示されるオンボードコネクタの縦断面図、図３は図１に示されるオンボードコネクタの斜め下方から見た外観斜視図、図４は図１に示されるオンボードコネクタの底面図、そして図５は図１に示されるオンボードコネクタの斜め後方から見た一部破断外観斜視図である。
【００１６】
図１に示されるように、本発明の一実施形態であるオンボードコネクタ１０は、コネクタハウジング１１と、複数の第１端子１２と、複数の第２端子１３と、を備える。
【００１７】
コネクタハウジング１１は、樹脂製であって回路基板３０上に組み付けられている。このコネクタハウジング１１は、前面に相手側コネクタ挿入用の単一のコネクタ挿着部１４を有する。
【００１８】
第１端子１２は、定格電流値が３Ａ以下の小電流用端子であって、複数の４９本がコネクタハウジング１１にインサート成形により一体成形されており、コネクタ挿着部１４内における回路基板３０から離れた上方位置に回路基板３０の表面に沿って千鳥状に上下に互い違いにして配列されている。
【００１９】
第２端子１３は、定格電流値が５Ａ〜２０Ａの中電流用端子であって、複数の１２本がコネクタハウジング１１に圧入により組み付けられており、コネクタ挿着部１４内における第１端子１２の回路基板３０寄りに回路基板３０の表面に沿って一列に配列されている。第２端子１３は、端子間ピッチｐ１が例えば１．５ｍｍ以下のファインピッチに設定されている。そのため、回路基板３０上のプリント配線パターンにおける導電性ランド間の隙間を例えば０．５ｍｍ以上の値に設定可能である。ここで、第２端子１３は、定格電流値が２０Ａ〜３０Ａの大電流用としてもよい。
【００２０】
図２に示されるように、第１端子１２は、コネクタハウジング１１に支持されている本体１５から直線状に延出した外部接続部１６がコネクタ挿着部１４内に配置され、本体１５から折曲されて延出した表面実装型の基板接続部１７が回路基板３０の表面に沿って配置されている。
【００２１】
第２端子１３は、コネクタハウジング１１に支持されている本体１８から直線状に延出した外部接続部１９がコネクタ挿着部１４内に配置され、本体１８から折曲されて延出したディスクリート型（即ち、ハンダ・ディップ・タイプ）の基板接続部２０が回路基板３０を貫通するように配置されている。
【００２２】
図３に示されるように、コネクタハウジング１１は、下面２１に端子圧入部２２を有する。この端子圧入部２２は、コネクタハウジング１１の下面２１から基部２３内に縦溝形状に切除されていて第２端子１３の本体１８を基部２３に圧入するための切欠溝２４と、圧入する際に第２端子１３の外部接続部１９を挿通させるための端子挿入窓２５と、からなる。
【００２３】
第２端子１３は、不図示の圧入治具によりコネクタハウジング１１の下面上から本体１８を切欠溝２４に圧入されていくことで本体１８が基部２３に固定され、基板接続部１９がコネクタハウジング１１の下面２１から突出して配置され、外部接続部１９が基部２３からコネクタ挿着部１４内に突出して配置される。このとき、第１端子１２の基板接続部１７は、コネクタハウジング１１の基部２３の後方側においてコネクタハウジング１１の下面２１と同一の面上に突出して配置される。
【００２４】
図４に示されるように、外部接続部１６がコネクタ挿着部１４内で千鳥状に配置された第１端子１２は、基板接続部１７が、第２端子１３の外部接続部１９の列に平行にして横一列に配列されている。また、第１端子１２は、４９本のうちの隣り合う２本ずつの一方が、第２端子１３の上方に配置され、隣り合う２本ずつの他方が、２つの第２端子１３の間の上方に配置されている。
【００２５】
図５に示されるように、このようなオンボードコネクタ１０は、回路基板３０上に組み付けられる。回路基板３０は、不図示の小電流用回路と同じく不図示の中電流用回路とを含んだプリント配線による回路構成になっており、その端縁寄りに中電流回路のランドがそれぞれ一列に配列して設けられているとともに、端縁から離れた位置に小電流用回路の接続端部がそれぞれ一列に配列して設けられている。
【００２６】
そして、コネクタハウジング１１の下面２１から下方に向けて一列に配列されて突出している各第２端子１３の各基板接続部２０は、回路基板３０の中電流用回路に設けられた各ランドの中央部に設けられた接続孔（図２参照）２６に挿通されてから、自動ハンダ槽等に漬け込まれることで各ランドにそれぞれ電気的に接続される。また、コネクタハウジング１１の後方側において下面２１と同一の面上に一列に配列して突出している各第１端子１２の各基板接続部１７は、リフロー装置等により回路基板３０の小電流用回路に設けられた各接続端部にそれぞれ電気的に接続される。これにより、各第１端子１２を通じた小電流回路と、各第２端子１３を通じた中電流回路と、が単一のオンボードコネクタ１０に装備される。
【００２７】
このようなオンボードコネクタ１０のコネクタ挿着部１４には、不図示の相手側コネクタが挿着される。この相手側コネクタは、例えばセンサ信号やトランジスタ，ＦＥＴ等のスイッチング素子駆動電流等の小電流を流すための小電流用回路と、例えばリレー駆動電流やレギュレータ供給電流等の中電流を流すための中電流回路と、が接続されている。
【００２８】
そして、コネクタ挿着部１４に相手側コネクタが挿着されることで、各第１端子１２を通じて小電流用回路がそれぞれ電気的に接続されると同時に、各第２端子１３を通じて中電流回路がそれぞれ電気的に接続される。
【００２９】
本実施形態のオンボードコネクタ１０によれば、小電流用の第１端子１２と、中電流用の第２端子１３と、がコネクタハウジング１１の相手側コネクタ挿入用の単一のコネクタ挿着部１４に配置される。これにより、コネクタ挿着部１４に相手側コネクタを挿着するだけで、小電流回路と中電流回路とを単一のオンボードコネクタ１０によって接続することができるので、複数種類の異なる回路を一括的に接続することでオンボードコネクタ１０および相手側コネクタの数を減少させることができるとともに作業性を良好にすることができる。更に、従来の中電流用の端子において端子間ピッチが例えば１．５ｍｍ以下のファインピッチ化を図ろうとした場合に、回路基板上のランド間の隙間を例えば０．５ｍｍ以上に設定できなくなるようなことがなくなり、ハンダ付け等の接合作業における支障を解消することができる。
【００３０】
また、オンボードコネクタ１０によれば、小電流用の第１端子１２がコネクタ挿着部１４において千鳥状に配列されることで、小電流用の第１端子１２間の距離を小さくしてオンボードコネクタ１０における限られたスペースを有効的に利用することができるとともに、回路基板３０上で一列に配列されることで交互に重なって配置されることがないためにハンダ付け等の接合作業を簡略化して生産性を向上させることができる。
【００３１】
また、オンボードコネクタ１０によれば、端子挿入窓２５を介して中電流用の第２端子１３を圧入によって組付けることができるので、複雑な成形工程を用いることなく、製造工程を簡素化して多くの設備投資を不要として生産性の向上を図ることができる。
【００３２】
尚、本発明は、前述した実施形態に限定されるものではなく、適宜、変形、改良等が自在である。
【００３３】
例えば、第１端子および第２端子の数は、図示したものに限定されることはなく、適用される車両での回路数に応じて適宜選択設定される。もちろん、単一のコネクタ挿着部を有するコネクタハウジングの幅寸法や高さ寸法も端子の数に応じて適宜選択設定される。
【００３４】
また、第１端子に加えて、第２端子を千鳥状にしてコネクタ挿着部内に配置しても良く、そうすれば、第２端子間の距離を小さくして、限られたスペースを更に有効的に利用することができる。
【００３５】
更に、第２端子に加えて、第１端子を圧入により組み付けてもよい。もちろん、その場合には、第２端子挿入用の切欠溝に近接して第１端子挿入用の切欠溝を設けることで、端子挿入窓を共用して２種類の端子を圧入組付することができる。
【図面の簡単な説明】
【００３６】
【図１】本発明のオンボードコネクタの一実施形態を示す一部破断正面図である。
【図２】図１に示したオンボードコネクタの縦断面図である。
【図３】図１に示したオンボードコネクタの斜め下方から見た単体外観斜視図である。
【図４】図１に示したオンボードコネクタの単体底面図である。
【図５】図１に示したオンボードコネクタの斜め後方から見た一部破断外観斜視図である。
【図６】従来のオンボードコネクタの外観図である。
【図７】図６に示したオンボードコネクタの縦断面図である。
【図８】図６とは異なる従来のオンボードコネクタの外観図である。
【図９】図８に示したオンボードコネクタの縦断面図である。
【符号の説明】
【００３７】
１０  オンボードコネクタ
１１  コネクタハウジング
１２  第１端子（端子）
１３  第２端子（端子）
１４  コネクタ挿着部
２５  端子挿入窓
３０  回路基板
【図１】
2006313690.tif 000003
【図２】
2006313690.tif 000004
【図３】
2006313690.tif 000005
【図４】
2006313690.tif 000006
【図５】
2006313690.tif 000007
【図６】
2006313690.tif 000008
【図７】
2006313690.tif 000009
【図８】
2006313690.tif 000010
【図９】
2006313690.tif 000011